(57)【要約】      （修正有）【課題】ディスク装置において、トレイ挿通口のドアを閉鎖位置に付勢するねじりばねの脱落防止構造を、作業が容易で、自動化にもなじみやすいものとする。【解決手段】ディスク載置用トレイが出入りするトレイ挿通口を備えた合成樹脂製フロントパネル１に、トレイ挿通口を塞ぐドアを取り付ける。ドアの支点軸にはドアを常時閉鎖位置に付勢するねじりばねを取り付ける。先端部にスリット８を備えた円筒形のボス７をフロントパネル１の裏面に突設し、ねじりばねの端のクランク部の第１折曲部１４ａをスリット部８に係合させる。その後、ボス７の先端部にかぶさる形状の加熱具２０でボス７の先端部を加熱し、変形させてスリット８の出口を塞ぐ。【選択図】図６
2007310948.tif 000002
【特許請求の範囲】
【請求項１】
ディスク載置用トレイが出入りするトレイ挿通口を備えた合成樹脂製フロントパネルに、前記トレイ挿通口を塞ぐドアを取り付け、このドアの支点軸にはドアを常時閉鎖位置に付勢するねじりばねを取り付けたディスク装置において、
先端部にスリットを備えた円筒形のボスを前記フロントパネルの裏面に突設し、前記ねじりばねの端のクランク部を前記ボスのスリット部に係合させた後、前記ボスの先端部にかぶさる形状の加熱具でボスの先端部を加熱し変形させてスリットの出口を塞ぐことを特徴とするディスク装置。
【請求項２】
ディスク載置用トレイが出入りするトレイ挿通口を備えた合成樹脂製フロントパネルに、前記トレイ挿通口を塞ぐドアを取り付け、このドアの支点軸にはドアを常時閉鎖位置に付勢するねじりばねを取り付けたディスク装置において、
先端部にスリットを備えたボスを前記フロントパネルの裏面に突設し、前記ねじりばねの端を前記スリットに係合させた後、前記ボスの先端部にかぶさる形状の加熱具でボスの先端部を加熱し変形させてスリットの出口を塞ぐことを特徴とするディスク装置。
【請求項３】
前記ボスは円筒形であることを特徴とする請求項１に記載のディスク装置。
【請求項４】
前記ねじりばねの端にクランク部が形成されていることを特徴とする請求項２または３に記載のディスク装置。
【発明の詳細な説明】
【技術分野】
【０００１】
本発明はディスクから情報を読み出したり、ディスクに情報を書き込んだりするディスク装置に関する。
【背景技術】
【０００２】
ＤＶＤやＣＤのようなディスクから情報を読み出したり、ディスクに情報を書き込んだりするディスク装置において、ディスクのローディング・アンローディング方式には次のようなものがある。その１は蓋を開けてディスク回転軸を露出させる方式、その２はディスクを載置するトレイを出し入れするトレイ方式、その３は機器の筐体に形成したスロットを通じてディスクのみを出し入れするスロットイン方式である。ＤＶＤプレーヤやＣＤプレーヤなどではトレイ方式を採用することが多い。
【０００３】
トレイ方式の場合、トレイが出入りするトレイ挿通口を機器のフロントパネルに形成する。トレイ挿通口には、埃や異物の侵入を防ぎ、また装置の美観を保つため、ドアが設けられる。このようなドア付きのトレイ挿通口を備えたディスク装置の例を特許文献１に見ることができる。
【特許文献１】特開２００６−４５４９号公報（［００２６］−［００３６］、図１−６）
【発明の開示】
【発明が解決しようとする課題】
【０００４】
トレイ挿通口のドアは、常時はばねで閉鎖位置に付勢され、トレイが出入りするときのみ開く。ばねがセット位置から脱落すると機器内のプリント基板に接触してショート事故を生じさせるおそれがあり、危険なので、特許文献１ではばねの脱落を生じさせない構造が種々提案されている。その中で、図４に示されたものは、合成樹脂製フロントパネルの裏面に突設された１対のロックピンの間にねじりばねの一端を挿入し、その後両ロックピンの先端を加熱融解し変形させることにより、両ロックピンの先端同士を連結して、ねじりばねが外れないようにしている。
【０００５】
上記構成によれば、ねじりばねの脱落防止構造を簡単に得ることができる。しかしながら、１対のロックピンの先端同士を融解して連結部を形成するというのは簡単なようでいて難しく、通常の場合、習熟するまでにかなりの失敗を余儀なくされる。自動化も容易ではない。
【０００６】
本発明は上記の問題を解決するためになされたものであり、トレイ挿通口のドアを閉鎖位置に付勢するねじりばねの脱落防止構造を、作業が容易で、自動化にもなじみやすいものとすることを目的とする。
【課題を解決するための手段】
【０００７】
上記目的を達成するために、請求項１の発明は、ディスク載置用トレイが出入りするトレイ挿通口を備えた合成樹脂製フロントパネルに、前記トレイ挿通口を塞ぐドアを取り付け、このドアの支点軸にはドアを常時閉鎖位置に付勢するねじりばねを取り付けたディスク装置において、先端部にスリットを備えた円筒形のボスを前記フロントパネルの裏面に突設し、前記ねじりばねの端のクランク部を前記ボスのスリット部に係合させた後、前記ボスの先端部にかぶさる形状の加熱具でボスの先端部を加熱し変形させてスリットの出口を塞ぐことを特徴としている。
【０００８】
この構成によると、１個のボスの先端部を加熱し変形させてスリットの出口を塞げば作業完了であるから、２本並んだピンの先端部を両方同時に融解し、それらをつなぎ合わせるという、神経を使う作業に比べ、作業が速く、習熟も要さない。また加熱具はボスの先端部にかぶさる形状であるから、ボスと加熱具との位置合わせが容易で、自動化に適する。ボスは円筒形なので、ボスに加熱具をかぶせたとき、互いのセンター合わせが容易である。
またねじりばねの端にはクランク部を形成したから、スリットの出口が塞がれた後、スリットからねじりばねの端が抜け出すことはきわめて困難であり、ねじりばねの脱落防止の目的を十二分に達成することができる。
【０００９】
請求項２の発明は、ディスク載置用トレイが出入りするトレイ挿通口を備えた合成樹脂製フロントパネルに、前記トレイ挿通口を塞ぐドアを取り付け、このドアの支点軸にはドアを常時閉鎖位置に付勢するねじりばねを取り付けたディスク装置において、先端部にスリットを備えた筒形のボスを前記フロントパネルの裏面に突設し、前記ねじりばねの端を前記スリットに係合させた後、前記ボスの先端部にかぶさる形状の加熱具でボスの先端部を加熱し変形させてスリットの出口を塞ぐことを特徴としている。
【００１０】
この構成によると、１個のボスの先端部を加熱し変形させてスリットの出口を塞げば作業完了であるから、２本並んだピンの先端部を両方同時に融解し、それらをつなぎ合わせるという、神経を使う作業に比べ、作業が速く、習熟も要さない。また加熱具はボスの先端部にかぶさる形状であるから、ボスと加熱具との位置合わせが容易で、自動化に適する。
【００１１】
請求項３の発明は、請求項２のディスク装置において、前記ボスは円筒形であることを特徴としている。
【００１２】
この構成によると、ボスに加熱具をかぶせたとき、互いのセンター合わせが容易である。
【００１３】
請求項４の発明は、請求項２または３のディスク装置において、前記ねじりばねの端にクランク部が形成されていることを特徴としている。
【００１４】
この構成によると、スリットの出口が塞がれた後、スリットからねじりばねの端が抜け出すことはきわめて困難であり、ねじりばねの脱落防止の目的を十二分に達成することができる。
【発明の効果】
【００１５】
以上のように本発明のディスク装置は、ディスク載置用トレイが出入りするトレイ挿通口を備えた合成樹脂製フロントパネルに、前記トレイ挿通口を塞ぐドアを取り付け、このドアの支点軸にはドアを常時閉鎖位置に付勢するねじりばねを取り付けたものにおいて、
先端部にスリットを備えた円筒形のボスを前記フロントパネルの裏面に突設し、前記ねじりばねの端を前記ボスのスリット部に係合させた後、前記ボスの先端部にかぶさる形状の加熱具でボスの先端部を加熱し変形させてスリットの出口を塞ぐから、１個のボスの先端部を加熱し変形させてスリットの出口を塞げば作業完了であり、作業が速く、習熟も要さない。また加熱具はボスの先端部にかぶさる形状なので、ボスと加熱具との位置合わせが容易であり、自動化に適する。
【発明を実施するための最良の形態】
【００１６】
以下、添付図面を参照しつつ本発明の一実施形態を説明する。図１はディスク装置のフロントパネルの裏面図、図２は図１のＡ−Ａ部断面図、図３はボスの斜視図、図４はボスと加熱具の断面図、図５はボスの先端部を加熱する状況を示す断面図、図６はボスの先端部を変形させ終わった状況を示す断面図である。
【００１７】
図１、２に示すのはＤＶＤプレーヤのフロントパネル１である。フロントパネル１は合成樹脂製で、特許文献１に記載されたものと同様の構造を備える。フロントパネル１には図示しないディスク載置用トレイが出入りするトレイ挿通口２が設けられる。トレイ挿通口２にはドア３が配置される。ドア３の裏面からは左右１対のアーム４Ｌ、４Ｒが突出する。アーム４Ｌ、４Ｒの先端からはそれぞれ外向きに支点軸５Ｌ、５Ｒが突出する。フロントパネル１の裏面に突設されたブラケット６Ｌ、６Ｒに支点軸５Ｌ、５Ｒを係合させることにより、ドア３は支点軸５Ｌ、５Ｒを中心として水平軸線まわりに回動可能に支持される。
【００１８】
特許文献１記載のドアと同様、ドア３はフロントパネル１の外側に出てトレイ挿通口２を開くものであり、ドア３を常時閉鎖位置に付勢するためには、図２において時計回り方向の回転力をドア３に与える必要がある。その役目を担うのが支点軸５Ｒに取り付けられたねじりばね１０である。ねじりばね１０はコイル部１１の両側から直線部１２、１３が突き出す構造であり、コイル部１１を支点軸５Ｒの外側に嵌合し、直線部１２をアーム４Ｒに係合させ、直線部１３をフロントパネル１の裏面に当接させてドア３に回転付勢力を与える。本発明の眼目であるねじりばね１０の脱落防止構造は、直線部１３に対して設けられる。
【００１９】
まず、直線部１３の先端にクランク部１４を形成する。直線部１３の先端を直角に曲げて支点軸５Ｒの軸線と平行な第１折曲部１４ａを形成し（図３参照）、第１折曲部１４ａの先端をもう一度直角に曲げて第２折曲部１４ｂを形成し、クランク部１４とする。
【００２０】
フロントパネル１の裏面には、クランク部１４に対応する位置にボス７を突設する。ボス７は中空の円筒形であり、先端部よりスリット８が入れられている。スリット８はボス７の中心を突っ切り、ボス７の軸線方向に所定の深さまで入り込む。このスリット８にねじりばね１０のクランク部１４の第１折曲部１４ａを入れる。
【００２１】
ボス７の先端部を加熱する加熱具２０を用意する。加熱具２０は、銅など熱伝導の良い金属の棒の端面に、ボス７の先端部にかぶさる広がりを有する凹部２１ａを形成したものであり、例えば半田ごてを改造するなどして製作することができる。凹部２１ａは半球形である。
【００２２】
ねじりばね１０のクランク部１４をスリット８に入れたボス７の先端部に、所定温度に加熱した加熱具２０を図５のようにかぶせると、ボス７の先端部は熱で軟化する。その状態で加熱具２０をボス７の軸線方向に押すと、ボス７の先端部は凹部２１ａの形状に沿って変形し、スリット８の出口が塞がれて行く。変形量が十分な値に達したところで、図６のように加熱具２０を引き離すと、後にはスリット８の出口を塞がれたボス７が残る。これをもってねじりばね１０の脱落防止処理は完了する。
【００２３】
このように、加熱具２０でボス７の先端部を加熱し、変形させてスリット８の出口を塞ぐものであるから、作業が速く、習熟も要さない。また加熱具２０はボス７の先端部にかぶさる形状なので、ボス７と加熱具２０との位置合わせが容易であり、自動化に適する。
【００２４】
本発明の第２実施形態を図７に示す。図７はボスと加熱具の断面図である。
【００２５】
第２実施形態は、加熱具２０の凹部の形状が第１実施形態と異なる。すなわち第１実施形態の凹部２１ａは半球形であったが、第２実施形態の凹部２１ｂは円錐形となっている。この構成によると、軟化したボス７の先端部をより早く中央に寄せ集めることができる。
【００２６】
第１及び第２実施形態において、ボス７は中空形状としたが、これは中実形状であっても構わない。また凹部２１ａ、２１ｂの内面を含む加熱具２０の先端部にはフッ素樹脂の被覆を施し、軟化した樹脂が付着しにくくしておくと良い。この他、発明の主旨を逸脱しない範囲でさらに種々の変更を加えて実施することができる。
【産業上の利用可能性】
【００２７】
本発明はトレイ挿通口にドアを配設したディスク装置全般に利用可能である。
【図面の簡単な説明】
【００２８】
【図１】ディスク装置のフロントパネルの裏面図
【図２】図１のＡ−Ａ部断面図
【図３】ボスの斜視図
【図４】ボスと加熱具の断面図
【図５】ボスの先端部を加熱する状況を示す断面図
【図６】ボスの先端部を変形させ終わった状況を示す断面図
【図７】第２実施形態に係るボスと加熱具の断面図
【符号の説明】
【００２９】
１    フロントパネル
２    トレイ挿通口
３    ドア
４Ｌ、４Ｒ  アーム
５Ｌ、５Ｒ  支点軸
６Ｌ、６Ｒ  ブラケット
７    ボス
８    スリット
１０  ねじりばね
１１  コイル部
１２、１３  直線部
１４  クランク部
２０  加熱具
２１ａ、２１ｂ  凹部
【図１】
2007310948.tif 000003
【図２】
2007310948.tif 000004
【図３】
2007310948.tif 000005
【図４】
2007310948.tif 000006
【図５】
2007310948.tif 000007
【図６】
2007310948.tif 000008
【図７】
2007310948.tif 000009